(57)【要約】【課題】  撮影ブースでの会話による音声が編集ブースに伝達し難くなるようにする。【解決手段】  本発明は、利用者を撮影するカメラ３０，３１を内蔵した撮影筐体４と、撮影画像に対する所定の編集入力を実行可能な編集筐体８とを備えた写真自販装置１に関する。この装置１は、上記撮影筐体４と、当該撮影筐体４の後方に撮影空間５を介して配置された背景壁部６と、撮影空間５への出入口である第１出入口７とを有する撮影ブース２を備えている。また、同装置１は、背景壁部６の後方に隣接して配置された上記編集筐体８と、当該編集筐体８への入力作業を行う編集空間９への出入口である第２出入口１０を備えている。【選択図】      図２
2012243195.tif 000002
【特許請求の範囲】
【請求項１】
利用者を撮影するカメラを内蔵した撮影筐体と、撮影画像に対する所定の編集入力を実行可能な編集筐体とを備えた写真自販装置であって、
前記撮影筐体と、当該撮影筐体の後方に撮影空間を介して配置された背景壁部と、前記撮影空間への出入口である第１出入口とを有する撮影ブースと、
前記背景壁部の後方に隣接して配置された前記編集筐体と、当該編集筐体への入力作業を行う編集空間への出入口である第２出入口とを有する編集ブースと、
を備えていることを特徴とする写真自販装置。
【請求項２】
前記撮影筐体の左右方向一方側の側面に、当該写真自販装置の使用方法を含む説明書きを掲示するための掲示スペースが設けられている請求項１に記載の写真自販装置。
【請求項３】
前記第１出入口に設けられた第１カーテンと、前記第２出入口に設けられた第２カーテンとがほぼ面一に前後方向に並設されており、前記両カーテンの表面を含みかつ前記掲示スペース以外の当該写真自販装置の側面部分に、前後方向で連続する一体の広告描画が施されている請求項１又は２に記載の写真自販装置。
【請求項４】
前記撮影筐体の左右方向一方側の側面に、当該撮影筐体が使用中であるか否かを示す表示部が設けられ、この表示部が左右方向外側に突出した形状に形成されている請求項１〜３のいずれか１項に記載の写真自販装置。
【発明の詳細な説明】
【技術分野】
【０００１】
本発明は、利用者が撮影や画像編集を自身で行い、その場で撮影画像や編集画像を印刷したプリントシートを取得する写真自販装置に関する。
【背景技術】
【０００２】
従来、利用者が自身を含む被写体をカメラで撮影し、その撮影画像や編集画像を印刷する遊戯用の写真自販装置が、ゲームセンターその他の遊戯施設に設置されている。
かかる写真自販装置では、予め用意された撮影条件の設定作業（例えば、全身、半身又は顔アップ等のズーム選択、背景画像や前景画像の選択等）や、撮影画像に合成すべき描画や文字（以下、「付加画像」という。）を、タッチペンその他の入力部材を用いて入力して撮影画像に合成する編集作業を行うことができるものが主流となっている。
【０００３】
上記の編集作業が可能な写真自販装置の従来技術として、カメラを内蔵した撮影用の第１筐体と、手書き画像の入力が可能なディスプレイを有する編集用の第２筐体とを左右方向で隣接して並設し、第１筐体を用いたカメラ撮影と、第２筐体を用いた編集画像の入力とを同時に並行して行えるものがある（特許文献１参照）。
この従来の写真自販装置によれば、異なる利用者が第１筐体でのカメラ撮影と第２筐体での編集入力とを同時に行えるので、顧客の回転率が向上するという利点がある。
【先行技術文献】
【特許文献】
【０００４】
【特許文献１】特許第４６６２６６３号公報
【発明の開示】
【発明が解決しようとする課題】
【０００５】
この種の写真自販装置では、カップルや友人同士など２人以上の利用者のグループ（以下、単に「グループ」ということがある。）が、撮影筐体に設けたモニター画面の指示に従って、会話をしながら一緒にプレイを進行することが多い。
従って、撮影と編集を同時並行で実行可能な写真自販装置の場合には、例えば、撮影中のグループの会話が編集作業を行っている他方のグループになるべく聞こえないようにして、編集作業の邪魔にならないようにすることが好ましい。
【０００６】
しかし、上記従来の写真自販装置では、第１筐体と第２筐体とが左右方向に隣接して並設され、第１筐体の手前の第１ブース（撮影ブース）と第１筐体の手前の第２ブース（編集ブース）とを、カーテンで仕切った簡易なブース構造となっている。
このため、従来の写真自販装置では、撮影ブースにおける利用者同士の会話が編集ブースに伝達し、先行してプレイを行っている他の利用者がその会話の内容が気になった場合に、他の利用者による編集作業の邪魔になる恐れがある。
【０００７】
本発明は、上記従来の問題点に鑑み、撮影ブースでの会話による音声が編集ブースに伝達し難くなるようにして、編集ブースでの編集作業を適正かつ確実に行うことができる写真自販装置を提供することを目的とする。
【課題を解決するための手段】
【０００８】
（１）  本発明は、利用者を撮影するカメラを内蔵した撮影筐体と、撮影画像に対する所定の編集入力を実行可能な編集筐体とを備えた写真自販装置であって、前記撮影筐体と、当該撮影筐体の後方に撮影空間を介して配置された背景壁部と、前記撮影空間への出入口である第１出入口とを有する撮影ブースと、前記背景壁部の後方のみに隣接して配置された前記編集筐体と、当該編集筐体への入力作業を行う編集空間への出入口である第２出入口とを有する編集ブースと、を備えていることを特徴とする。
【０００９】
本発明の写真自販装置によれば、撮影ブースが、撮影筐体と、当該撮影筐体の後方に撮影空間を介して配置された背景壁部を有しており、編集ブースの編集筐体が撮影ブースの後部にある背景壁部の後方に隣接して配置されている。
この場合、撮影ブースの利用者は、撮影筐体に対面しかつ背景壁部に背を向けて撮影作業を行うことになるので、撮影ブースの利用者が会話しても、その音声が主として前方（撮影筐体側）に伝わり、後方（背景壁部側）の編集ブースには伝わり難くなる。
【００１０】
（２）  本発明の写真自販装置において、前記撮影筐体の左右方向一方側の側面に、当該写真自販装置の使用方法を含む説明書きを掲示するための掲示スペースを設けることが好ましい。
この場合、当該写真自販装置の前部に位置する撮影筐体の左右方向一方側の側面に上記掲示スペースが設けられているので、プレイ待ちの利用者が掲示スペースの前に並んだ場合に、そのプレイ待ちの利用者と編集ブースへ移動しようとする利用者とが、第１出入口で交錯するのを防止でき、満員時における顧客の回転率の低下を抑制することができる。
【００１１】
（３）  また、本発明の写真自販装置において、前記第１出入口に設けられた第１カーテンと、前記第２出入口に設けられた第２カーテンとをほぼ面一に前後方向に並設し、前記両カーテンの表面を含みかつ前記掲示スペース以外の当該写真自販装置の側面部分に、前後方向で連続する一体の広告描画を施すことが好ましい。
この場合、第１及び第２カーテンごとに個別に分割した広告描画を施す場合に比べて、利用者にとってインパクトのある広大な広告描画を採用でき、広告描画による宣伝効果をより向上させることができる。
【００１２】
（４）  更に、本発明の写真自販装置において、前記撮影筐体の左右方向一方側の側面に、当該撮影筐体が使用中であるか否かを示す表示部を設ける場合には、この表示部を左右方向外側に突出した形状に形成することが好ましい。
この場合、撮影筐体が壁面に近接するように写真自販装置を設置しても、後続の利用者が表示部を後方から視認し難くなるのを防止することができる。このため、当該写真自販装置を敷地の壁際に支障なく設置でき、敷地の利用効率を向上することができる。
【発明の効果】
【００１３】
以上の通り、本発明によれば、撮影ブースでの会話による音声が編集ブースに伝達し難くなるので、その音声が編集ブースの利用者による編集作業の邪魔になるのを抑制することができ、編集作業を適正かつ確実に行うことができる。
【図面の簡単な説明】
【００１４】
【図１】本発明の実施形態に係る写真自販装置を左前側から見た斜視図である。
【図２】サイドカーテンとバックカーテンを取り外した同装置の斜視図である。
【図３】サイドカーテンの取付方法を示す同装置の斜視図である。
【図４】バックカーテンの取付方法を示す同装置の斜視図である。
【図５】撮影筐体の斜視図である。
【図６】編集筐体の斜視図である。
【図７】本発明の実施形態に係る写真自販装置の作用説明図（平面図）である。
【図８】本発明の比較例に係る写真自販装置の作用説明図（平面図）である。
【発明を実施するための形態】
【００１５】
以下、図面に基づいて、本発明に係る写真自販装置の一実施形態を説明する。
〔装置の全体構造〕
図１は、本発明の実施形態に係る写真自販装置１を左前側から見た斜視図である。また、図２はサイドカーテン２５とバックカーテン２４とを取り外した同装置１の斜視図である。
【００１６】
図１及び図２に示すように、本実施形態の写真自販装置１は、前部側の撮影ブース２と後部側の編集ブース３とを備えており、前後方向に長いほぼ直方体状を呈している。
なお、図１に示すように、本明細書においては、撮影ブース２の内部で撮影を行う利用者から見た前側を「前」、その利用者の後側を「後」、その利用者の左側を「左」、及び、その利用者の右側を「右」と定義して、写真自販装置１の全体構造及び各部の構造を記述している。
【００１７】
写真自販装置１の各ブース２，３のうち、撮影ブース２は、利用者を撮影するカメラ３０，３１（図５参照）が内蔵された撮影筐体４と、この撮影筐体４の後方に撮影空間５を介して配置された背景壁部６と、撮影空間５への出入口である第１出入口７とを有している。
また、編集ブース３は、背景壁部６の後方に隣接して配置された編集筐体８と、編集筐体８への入力作業を行う編集空間９への出入口である第２出入口１０とを有している。
【００１８】
図２に示すように、編集筐体８と背景壁部６の上端部間は、前後方向に延びる天井フレーム１２によって互いに連結されている。この天井フレーム１２の枠内部には、撮影空間５を上から照明及びフラッシュ照射する天井照明ユニット１３が設けられている。
撮影筐体４の左側面（右側面でもよい。）には、写真自販装置の使用方法を含む説明書きを掲示するための掲示スペース１４が設けられている。また、その左側面の上部には、撮影筐体４が使用中であるか否かを示す表示部１５が設けられている。
【００１９】
この表示部１５は、編集筺体８の制御ボックス３６（図６参照）の内部に設けられたパソコンなどの制御装置（図示せず。）によって発光又は消灯される表示灯よりなり、発光によって撮影ブース２が使用中であることを利用者に示し、消灯によって撮影ブース２が空きになったことを利用者に示すものである。
本実施形態では、表示部１５が左右方向外側に突出した平面形状に形成されている。なお、図例では平面視三角形状であるが、凸湾曲状などのその他の形状であってもよい。
【００２０】
背景壁部６は、撮影筐体４とほぼ同じ幅及び高さの板状部材よりなり、撮影筐体４の正面と対面する本体プレート１６と、この本体プレート１６の左右両端から前方に延設された一対のサイドプレート１７とを有している。
そして、撮影筐体４の後端縁と、天井フレーム１２の下端縁と、サイドプレート１７の前端縁とから、撮影空間５に出入りするための前記第１出入口７が構成されている。
【００２１】
本実施形態の編集筐体８は、左右両側から２組の利用者が同時に編集可能な対面式であり、左右方向長さが背景壁部６の同方向幅よりも小さい筐体よりなる。編集筐体８は、その前端面を背景壁部６の背面の中央部に接続されており、この編集筐体８の左右両側方のスペースが、２組の利用者がそれぞれ編集作業を行う編集空間９となっている。
編集筐体８の上方には、平面視においてほぼコの字状のカーテンフレーム１８が設けられている。このカーテンフレーム１８は、前後方向に延びる一対の側部ブレーム１９と、この側部フレーム１９の後端同士を連結する左右方向に延びる後部フレーム２０とからなる。
【００２２】
各側部フレーム１９の前端は、天井フレーム１２の後端に前後方向に延長状に連結されており、後部フレーム２０の中央部は、編集筐体８の後上端部に設けられた支持部材２１によって支持されている。
そして、左右一方側の側部フレーム１９と、後部フレーム２０のほぼ半分の長さ部分により、編集空間９に出入りするための前記第２出入口１０の上枠部が構成されている。
【００２３】
〔各カーテンの構造と取付方法〕
図１に示すように、写真自販装置１の前後左右の各側面には、表面側に広告描画が施された複数のカーテン２３〜２５が設けられている。
この複数のカーテン２３〜２５には、写真自販装置１の前端面を構成するフロントカーテン２３と、同装置１の後端面を構成するバックカーテン２４と、装置１の左右両側面を構成するサイドカーテン２５とが含まれている。
【００２４】
このうち、フロントカーテン２３は、写真自販装置１の前端部分を構成する撮影筐体４の背面全体を被覆しており、その背面に取付ねじによって貼り付けられている。
また、バックカーテン２４は写真自販装置１の後端部分を構成する編集筐体８の後端面の一部を被覆している。これらフロントカーテン２３とバックカーテン２４の表面には、同じ図柄の広告描画（図例では、女性モデルの顔アップ写真）が施されている（図１及び図４参照）。
【００２５】
サイドカーテン２５は、第１出入口７に対応する前側の第１カーテン２６と、第２出入口１０に対応する後側の第２カーテン２７と、第１出入口７と第２出入口１０の間の中央部分に対応する第３カーテン２８との３つの部分に分割構成されており、これらのカーテン２６〜２８はほぼ面一となるように前後方向に並設されている。
すなわち、サイドカーテン２５は、上記３枚のカーテン２６〜２８によって前後方向に一連の長方形状に形成されており、写真自販装置１の側面における撮影筐体４を除く側面部分を構成している。
【００２６】
また、本実施形態では、サイドカーテン２５の表面に、前後方向で連続する一体の広告描画（図例では、女性モデルが横たわった状態を示す写真）が施されている。
すなわち、サイドカーテン２５を構成する各カーテン２６〜２８には、一体の広告描画の各部分（図例では、女性モデルの脚部、胴部及び顔部）がそれぞれ印刷されており、この各カーテン２６〜２８を所定の順序で前後方向に配列することにより、１つの意味のある広告描画が完成するようになっている。
【００２７】
図３は、サイドカーテン２５の取付方法を示す写真自販装置１の斜視図である。また、図４は、バックカーテン２４の取付方法を示す同装置１の斜視図である。
図３に示すように、サイドカーテン２５の第１カーテン２６は、その上端縁を天井フレーム１２に取付ねじで固定し、その幅方向縁の上端部を撮影筐体４とサイドプレート１７に取付ねじで固定することによって吊り下げられている。
【００２８】
なお、図３では図示していないが、サイドカーテン２５の第２カーテン２７は、その上端縁を側部フレーム１９に取付ねじで固定することによって吊り下げられている。また、サイドカーテン２５の第３カーテン２８は、サイドプレート１７の表面に取付ねじによって貼り付けられている。
更に、図４に示すように、バックカーテン２４は、その上端縁を後部フレーム２０に取付ねじで固定することによって吊り下げられている。
【００２９】
〔撮影筐体と編集筐体〕
図５は、撮影筐体４の斜視図であり、図６は、編集筐体８の斜視図である。
図５に示すように、本実施形態の撮影筐体４は、室内側の正面パネル部が凹湾曲状に形成されており、顔や上半身の写真を撮影するための上部カメラ３０と、全身の写真を撮影するための下部カメラ３１とが内部に搭載されている。
上部カメラ３０の下方には、撮影条件などの入力操作が可能なタッチパネル式の液晶モニター３２が設けられている。この液晶モニター３２には、上部カメラ３０で撮影された画像が表示される。また、下部カメラ３１の下方には、下部カメラ３１で撮影された画像が表示される確認モニター３３が設けられている。
【００３０】
また、撮影筐体４の室内側面には、撮影空間５を前方から照明及びフラッシュ照射する正面照明ユニット３４が設けられている。この正面照明ユニット３４は、中央上側のユニット部分３４Ａと、中央下側のユニット部分３４Ｂと、左側のユニット部分３４Ｃと、右側のユニット部分３４Ｄとから構成されている。
なお、撮影筐体４の右下部には、コイン投入口とコイン返却口を有するキャッシュボックス３５が設けられている。
【００３１】
図６に示すように、本実施形態の編集筐体８は、下部側の制御ボックス３６と、この制御ボックス３６の上に設けられた編集台部３７とを有する。
制御ボックス３６の内部には、メインパソコンユニット及びＩ／Ｏコントローラなどの各種の制御装置と、プリントシートを印刷するプリンタ（いずれも図示せず。）とが内蔵されており、制御ボックス３６の後端面には、利用者が作成したプリントシートを受領するための取出口３８が形成されている。
【００３２】
編集台部３７は、所定の傾斜角度で設置された編集モニター３９を備え、この編集モニター３９の左右両側にはタッチペン４０が接続されている。このタッチペン４０のペン先を編集モニター３９の画面に接触させることにより、画面表示されたアイコンを選択する選択入力や、文字や描画の落書きを行う場合の手書き入力を行うことができる。
なお、図６では、左側の編集モニター３９を示しているが、右側の編集モニター３９も左側と同じ構造である。また、制御ボックス３６の制御装置は、左右両側の編集モニター３９への入力情報に対応する処理を個別に並列処理できるようになっている。
【００３３】
〔写真自販装置の効果〕
図７は、本発明の実施形態に係る写真自販装置１の作用説明図（平面図）である。また、図８は、本発明の比較例に係る写真自販装置の作用説明図（平面図）である。
図７に示す本実施形態の写真自販装置１では、上述の通り、前側の撮影ブース２が、当該装置１の前端部を構成する撮影筐体４と、この撮影筐体４の後方に撮影空間５を介して配置された背景壁部６を有しており、編集ブース３の編集筐体８が撮影ブース２の後部にある背景壁部６の後方に隣接して配置されている。
【００３４】
これに対して、図８に示す比較例の写真自販装置１Ａでは、前側の撮影ブース２が、当該装置１Ａの前端部を構成する背景壁部６と、この背景壁部６の後方に撮影空間５を介して配置された撮影筐体４を有しており、編集ブース３の編集筐体８が撮影ブース２の後部にある撮影筐体４の後方に隣接して配置されているものとする。
【００３５】
ここで、図８の比較例の場合、撮影ブース２の利用者Ｕ１が撮影のために撮影筐体４と対面すると、利用者Ｕ１の顔が後方を向いた状態となる。
このため、撮影ブース２の利用者Ｕ１がプレイ中に会話をすると、その音声が主として編集ブース３がある後方側に伝わり易く、特許文献１の場合と同様に、編集作業を行っている他の利用者Ｕ２による編集作業の邪魔になる恐れが高い。
【００３６】
これに対して、図７の本実施形態の場合、撮影ブース２の利用者Ｕ１が撮影のために撮影筐体４と対面すると、利用者Ｕ１の顔が前方を向いた状態となる。
このため、撮影ブース２の利用者Ｕ１がプレイ中に会話をしても、その音声が伝わるのは主として前方側であり、編集ブース３がある後方側には伝わり難くなる。
従って、本実施形態の写真自販装置１では、撮影ブース２の利用者Ｕ１の会話による音声が編集ブース３の利用者Ｕ２による編集作業の邪魔になるのを抑制でき、編集作業を適正かつ確実に行うことができるという効果がある。
【００３７】
ところで、この種の写真自販装置１では、後続の利用者Ｕ３が、撮影ブース２が空きになるのを待機する場合、当該装置１の使用方法などを含む説明書きや撮影中か否かを示す表示部１５の前に待ち行列を形成することが多く、また、遊技施設の事業者がそこでプレイ待ちすることを指定する場合もある。
【００３８】
この点、図８の比較例のように、写真自販装置１Ａの前後方向中央部に位置する撮影筐体４の側面に、前記掲示スペース１４や表示部１５を設けると、撮影作業が終了して編集ブース３へ移動しようとする利用者Ｕ１と、撮影ブース２に入ろうとするプレイ待ちの利用者Ｕ３が第１出入口７で交錯する可能性が高く、この交錯が原因でプレイ待ちの利用者Ｕ３がスムーズに撮影ブース２に入室することができず、満員時における顧客の回転率が低下することがあった。
【００３９】
これに対して、図７に示す本実施形態では、写真自販装置１の前部に位置する撮影筐体４の左右方向一方側の側面に掲示スペース１４と表示部１５が設けられているので、プレイ待ちの利用者Ｕ３が掲示スペース１４の前に並んだ場合であっても、そのプレイ待ちの利用者Ｕ３と編集ブース３へ移動しようとする利用者Ｕ１とが、第１出入口７で交錯する可能性が低くなる。
従って、本実施形態の写真自販装置１では、第１出入口７での利用者Ｕ１，Ｕ３同士の交錯による、満員時における顧客の回転率の低下を抑制できるという利点もある。
【００４０】
また、本実施形態の写真自販装置１によれば、第１カーテン２６、第２カーテン２７及び第３カーテン２８をほぼ面一に前後方向に並設することでサイドカーテン２５が構成されており、このサイドカーテン２５の表面を含みかつ掲示スペース１４以外の当該写真自販装置１の側面部分に、前後方向で連続する一体の広告描画が施されている。
従って、第１〜第３カーテン２６〜２８ごとに個別に分割した広告描画を施す場合に比べて、利用者にとってインパクトのある広大な広告描画（例えば、図１参照）を採用でき、広告描画による宣伝効果をより向上させることができる。
【００４１】
更に、本実施形態の写真自販装置１では、表示部１５が左右方向外側に突出した形状に形成されているので、例えば、図７に示すように、撮影筐体４が壁面Ｗ近接するように写真自販装置１を設置しても、後続の利用者Ｕ３が写真自販装置１の後方側から表示部１５を視認し難くなるのを防止することができる。
このため、写真自販装置１を敷地の壁際に支障なく設置でき、敷地の利用効率を向上することができる。
【００４２】
〔その他の変形例〕
上述の実施形態はすべて例示であって制限的なものではない。本発明の権利範囲は特許請求の範囲によって規定され、そこに記載された構成と均等の範囲内のすべての変更は本発明の技術的範囲に含まれる。
例えば、上述の実施形態では、サイドカーテン２５が３枚のカーテン２６〜２８に分割構成されているが、例えばサイドプレート１７を有しない背景壁部６の場合には、第１カーテン２６と第２カーテン２７とからサイドカーテン２５を構成することもできる。
【００４３】
また、上述の実施形態では、２組の利用者が同時に編集入力できる対面式の編集筐体８を採用しているが、編集筐体８は、少なくとも１組の利用者の編集入力が撮影と同時に行えるものであればよい。
【符号の説明】
【００４４】
１      写真自販装置
２      撮影ブース
３      編集ブース
４      撮影筐体
５      撮影空間
６      背景壁部
７      第１出入口
８      編集筐体
９      編集空間
１０      第２出入口
１４      掲示スペース
１５      表示部
２３      フロントカーテン
２４      バックカーテン
２５      サイドカーテン
２６      第１カーテン
２７      第２カーテン
２８      第３カーテン
３０      上部カメラ
３１      下部カメラ
【図５】
2012243195.tif 000003
【図６】
2012243195.tif 000004
【図７】
2012243195.tif 000005
【図８】
2012243195.tif 000006
【図１】
2012243195.tif 000007
【図２】
2012243195.tif 000008
【図３】
2012243195.tif 000009
【図４】
2012243195.tif 000010